(57)【要約】【課題】  効率よくスクラップを解体及び／又は破断及び／又は分別することのできるスクラップ処理ヤードを得る。【解決手段】  スクラップを解体及び／又は分別処理するためのステージと、運搬車両の通行路としてステージ周囲に設けられた舗装路面を有する車両走行路と、運搬車両に対してステージ上への搬入スクラップの荷揚げ・荷降ろしのためにステージに付設されたクレーン装置と、クレーン装置の作業範囲内でステージに付設された切断装置とを備えたスクラップ処理ヤードにおいて、ステージの上面が車両走行路の路面を含むステージ周囲領域よりも高さの高いスクラップ処理作業床を構成し、スクラップ処理作業床の上には少なくとも１台の多機能解体作業機が配置され、クレーン装置と切断装置とを一組とする複数組の据付型機械が設けられている。【選択図】      図１
2007168969.tif 000002
【特許請求の範囲】
【請求項１】
運搬車両によって搬入されるスクラップを解体及び／又は分別処理するためのステージと、運搬車両の通行路として該ステージの周囲に設けられた舗装路面を有する車両走行路と、車両走行路の停車区画に停車した運搬車両に対してステージ上への搬入スクラップの荷揚げ及び／又は運搬車両への処理済スクラップの荷降ろしのためにステージに付設された据付型クレーン装置と、据付型クレーン装置の作業範囲内でステージに付設された据付型スクラップ切断装置とを備えたステージ型スクラップ処理ヤードにおいて、
ステージの上面が車両走行路の路面を含むステージ周囲領域よりも高さの高いスクラップ処理作業床を構成し、
スクラップ処理作業床の上には少なくとも１台の自走式多機能解体作業機が配置され、
それぞれ据付型クレーン装置と据付型スクラップ切断装置とを一組とする複数組の据付型機械が設けられていることを特徴とするステージ型スクラップ処理ヤード。    
【請求項２】
少なくとも一組の据付型機械のスクラップ切断装置が他の組の据付型機械のスクラップ切断装置と異なる切断能力を有することを特徴とする請求項１に記載のステージ型スクラップ処理ヤード。
【請求項３】
少なくとも一組の据付型機械がスクラップ処理作業床上の共通の作業領域を間にして他の組の据付型機械と対峙するように配置されていることを特徴とする請求項１又は２に記載のステージ型スクラップ処理ヤード。
【発明の詳細な説明】
【技術分野】
【０００１】
本発明は例えば自動車を始めとする各種のスクラップの解体・破断・分別作業に好適なスクラップ処理ヤードに関するものである。
【背景技術】
【０００２】
近年の自動車普及の急速な進展に伴い、廃車台数も飛躍的に増大しつつあるのが現状であり、しかも最近の自動車は種々の素材からなる複合部品を数多く使用しているため、解体中の部品毎の素材別の分別作業が極めて煩雑となりつつある。更に、現在では、家電品の廃品回収が販売各社に義務づけられ、廃品を如何にして再生可能な資源とするかも重要な課題となっている。
【０００３】
また、従来のスクラップの解体作業は、一般的に廃車の解体作業向上では自動車スクラップのみを専ら扱い、例えば家電品や建築廃材等の他のスクラップの解体は通常の取り扱い対象外としていたので、各地に各種のスクラップがそれぞれ集積されて解体を待つ状況となりつつある。
【０００４】
種々のスクラップの中には、例えば配水配管のスクラップのように配管部分とバルブ部分のように分別回収すべき異種金属部品が小型硬質でしかも強固に固着しているようなものもあり、このようなものは従来の解体作業車では取り扱うことができないので、多くの場合は分別回収せずに処分していた。この場合、配管部分は比較的廉価な鉄スクラップであり、バルブ部分は比較的高価な砲金などであり、分別回収すれば経済効果が得られるのに対して、一体のまま処理すれば高価な砲金などが無駄になる。
【０００５】
更に、例えば電気洗濯機などのスクラップでは、外側の筐体及び洗濯槽と内部の電動機とを分別解体しなければならず、また電気冷蔵庫でも筐体と内側断熱材およびコンプレッサーなどを分別解体しなければならないが、従来の解体作業車ではブーム先端の開閉作業工具によってこれらの内部の電動機やコンプレッサーを直接取り出すことができず、別の手作業による解体またはやむなく一体のまま処分する等の処理が行われていた。
【０００６】
本出願人は、解体及び／又は破断及び／又は分別作業中にスクラップや機械等による生身の作業員に対する事故の発生を極力に減少させ、効率よく搬送、解体及び／又は破断及び／又は分別することができ、しかも分別されたスクラップの品質向上にも繋がるスクラップ処理ヤードを既に提案している（特許文献１参照）。
【０００７】
このスクラップ処理ヤードとしては、運搬車両が走行する走行路に対して位置を高くしてなる固定ステージの周縁の荷揚げ位置近傍に設置され、前記スクラップを運搬車両から荷揚げする据付ローダと前記据付ローダのアーム作業領域内のステージ上又はステージに隣接して設置され、前記荷揚げされたスクラップを切断するシャーとを備え、ステージ上に各々自走式解体作業車を配置してスクラップの解体及び／又は破断及び／又は分別を行う複数の作業領域を備えたものである。
【特許文献１】特開２００２−１２８２８０
【発明の開示】
【発明が解決しようとする課題】
【０００８】
前述のスクラップ処理ヤードは、生身の作業員に対する事故の発生を極力に減少させて効率よく搬送、解体及び／又は破断及び／又は分別することができるものである。しかしながら、リサイクル運動が活発化して、ヤードに搬送されてくるスクラップが自動車廃棄物のみならず、鉄筋・鉄骨や電線等を含む建築廃棄物、家電廃棄物等の多様化により、種々のスクラップが混在する場合には、それらスクラップを解体及び／又は破断及び／又は分別するには効率が悪い場合があった。
【０００９】
本発明は、更に効率よくスクラップを解体及び／又は破断及び／又は分別することのできるスクラップ処理ヤードを得ることを目的とする。
【課題を解決するための手段】
【００１０】
請求項１に記載された発明に係るステージ型スクラップ処理ヤードは、運搬車両によって搬入されるスクラップを解体及び／又は分別処理するためのステージと、運搬車両の通行路として該ステージの周囲に設けられた舗装路面を有する車両走行路と、車両走行路の停車区画に停車した運搬車両に対してステージ上への搬入スクラップの荷揚げ及び／又は運搬車両への処理済スクラップの荷降ろしのためにステージに付設された据付型クレーン装置と、据付型クレーン装置の作業範囲内でステージに付設された据付型スクラップ切断装置とを備えたステージ型スクラップ処理ヤードにおいて、
ステージの上面が車両走行路の路面を含むステージ周囲領域よりも高さの高いスクラップ処理作業床を構成し、
スクラップ処理作業床の上には少なくとも１台の自走式多機能解体作業機が配置され、
それぞれ据付型クレーン装置と据付型スクラップ切断装置とを一組とする複数組の据付型機械が設けられていることを特徴とするものである。
【００１１】
請求項２に記載された発明に係るステージ型スクラップ処理ヤードは、請求項１に記載の少なくとも一組の据付型機械のスクラップ切断装置が他の組の据付型機械のスクラップ切断装置と異なる切断能力を有することを特徴とするものである。
【００１２】
請求項３に記載された発明に係るステージ型スクラップ処理ヤードは、請求項１又は２に記載の少なくとも一組の据付型機械がスクラップ処理作業床上の共通の作業領域を間にして他の組の据付型機械と対峙するように配置されていることを特徴とするものである。
【発明の効果】
【００１３】
本発明は、自動車廃棄物、建築廃棄物、家電廃棄物等の多様なスクラップが混在する場合でも、効率よくスクラップを解体及び／又は破断及び／又は分別することができるという効果がある。
【発明を実施するための最良の形態】
【００１４】
本発明においては、運搬車両によって搬入されるスクラップを解体及び／又は分別処理するためのステージと、運搬車両の通行路として該ステージの周囲に設けられた舗装路面を有する車両走行路と、車両走行路の停車区画に停車した運搬車両に対してステージ上への搬入スクラップの荷揚げ及び／又は運搬車両への処理済スクラップの荷降ろしのためにステージに付設された据付型クレーン装置と、据付型クレーン装置の作業範囲内でステージに付設された据付型スクラップ切断装置とを備えたステージ型スクラップ処理ヤードにおいて、ステージの上面が車両走行路の路面を含むステージ周囲領域よりも高さの高いスクラップ処理作業床を構成し、スクラップ処理作業床の上には少なくとも１台の自走式多機能解体作業機が配置され、それぞれ据付型クレーン装置と据付型スクラップ切断装置とを一組とする複数組の据付型機械が設けられている。これにより、多様なスクラップが混在する場合でも、効率よくスクラップを解体及び／又は破断及び／又は分別することができる。
【００１５】
即ち、本発明のスクラップ処理ヤードは、ステージの上面が車両走行路の路面を含むステージ周囲領域よりも高さの高いスクラップ処理作業床を形成しており、作業床の上面は平坦な作業領域を含む。このように、スクラップ処理作業床を運搬車両が走行する走行路に対して高い位置に形成されているため、ステージ上の自走式多機能解体作業機の操縦者が次に搬入される運搬車両の荷箱内のスクラップを上から見下ろすように目視でき、効率のよいスクラップの解体及び／又は破断及び／又は分別作業を行うことができる。また、スクラップの解体及び／又は破断及び／又は分別作業で発生するスクラップの破片が走行路に放置されがたいため、搬送車両のパンク事故が発生し難い等の利点もある。
【００１６】
具体的なスクラップ処理作業床の周囲領域からの高さは、自走式多機能解体作業機の操縦者が運搬車両の荷箱内部を見下ろせる高さであればよく、１ｍ〜３ｍ、好ましくは２ｍ程度の高さが好ましい。また、作業床周囲のステージ側面は好ましくは周囲から切り立ったほぼ垂直の壁面を形成する。これにより、スクラップ処理作業床に生身の作業員が不用意に立ち入ることが阻害され、生身の作業員に対する事故の発生が防止される。
【００１７】
また、ステージ周囲は運搬車両の走行路面として舗装されている。搬送車両は多量のスクラップを搬送するため、走行路面は運搬車両重量を含めて多大な重量を支持しなければならないためである。走行路面はステージ周囲に設けられればよく、ステージの全周だけでなく、ステージへの荷揚げやステージからの荷降ろしのための駐停車場所を含めばステージの周囲の一部分に設けてもよい。尚、本発明において「荷揚げ」とは、ステージ上へスクラップを運び上げることを指し、「荷降ろし」とは分別解体の終了したスクラップをステージ上から搬送車両へ積むことを指す。
【００１８】
また、この走行路面には標識や標示によって、例えば、駐停車区画、車両進行方向、進入禁止などを設定でき、場合によってはステージを周回する一方通行路を設定することもできる。例えば、荷揚げ位置走行路幅員を他の走行路の幅員よりも広くするため、荷揚げ位置が存在する走行路を２車線分としたり、ステージの荷揚げ位置の平面形状を凹部として荷揚げ時に後続の運搬車両が追い越し可能とするための停車スペースを設けたりしてもよい。また、ステージから分別解体の終了したスクラップを搬送車両の荷箱に荷降ろしする場合については、荷揚げ位置に搬送車両を停車させておき、その荷箱に荷降ろししてもよいし、別途の荷降ろし位置で荷降ろししてもよい。
【００１９】
また、ステージを周回する一方通行路を設定した場合には、予め定められた方向にのみ走行させるための走行路に従って渋滞も少なく運搬車両が荷揚げ位置に短時間で到達することができ、スクラップの荷揚げは主に据付型クレーン装置によってスムーズに行われ、しかも、荷揚げを終えた運搬車両は、予め定められた方向にのみ走行させるための走行路によって渋滞なく発車することができる利点を奏する。
【００２０】
本発明においては、スクラップは、生身の作業員が立ち入ることを禁止されたスクラップ処理作業床上へ据付型クレーン装置や自走式多機能解体作業機のブーム先端のペンチャー等によって荷揚げされて一時貯留される。スクラップ処理作業床上のスクラップは、少なくとも１台の、より好ましくは数台の自走式多機能解体作業機によって解体及び／又は破断及び／又は分別される。例えば、スクラップが廃車された自動車であれば、解体・破断をしつつ、鉄、アルミ等の非鉄金属、プラスチック、ゴム等の素材に応じて分別する場合には、個々の素材の場所や形態等は車種に拘わらずある程度決まっており、その量もある程度決まる。しかしながら、建築廃棄物や家電廃棄物については、多数種類に亘っているため、自走式多機能解体作業機の操縦者が廃棄物を解体・破断した際に、その内部構造を確認した上で、鉄、アルミ等の非鉄金属、プラスチック、ゴム、その他等の素材を分別する必要があった。
【００２１】
例えば、マンション等の大規模住宅等の建築廃棄物では、各戸に配電する配電線が良質な銅資源として、アルミサッシ枠がアルミ資源として、鉄筋コンクリート中の鉄筋や配管が鉄資源として、そしてコンクリート片は道路舗装用砂利として再利用可能である。特に、大規模住宅の配電線は、太いもので、断面積が４００ｍｍ２ (より線)のものもあり、その材質は良質な銅である。また、配管部分は比較的廉価な鉄スクラップであり、バルブ部分は比較的高価な砲金などである。更に、電気洗濯機等の大型家電品の廃棄物では、外側の筐体及び洗濯槽と内部の電動機とを分別・解体しなければならない。
【００２２】
このようにリサイクルを目的としたスクラップの多様化によって、より効率のよいスクラップの解体及び／又は破断及び／又は分別作業を達成するため、本発明のステージ型スクラップ処理ヤードにおいては、好ましい態様としては、据付型クレーン装置と据付型スクラップ切断装置とを一組とする複数組の据付型機械が設けられ、少なくとも一組の据付型機械のスクラップ切断装置が他の組の据付型機械のスクラップ切断装置と異なる切断能力を有するものした。これにより、スクラップの多様化においても、効率よくスクラップを解体及び／又は破断及び／又は分別することができる。
【００２３】
本発明の好ましい態様として、少なくとも１つの据付型スクラップ切断装置は他の据付型スクラップ切断装置と相違する切断能力のものとするとよい。切断能力が高いものとしては、切断装置の切断刃の破断長を長くして大型の廃材の切断にも対応できるようにしたもの、切断刃の押圧力を高出力として切断力を高くしたもの等が挙げられるが、好ましくは、切断刃の押圧力を高出力として切断力を高くしたものがよい。即ち、１つの切断装置の切断刃が鉄骨を切断可能な高出力の据付型スクラップ切断装置であれば、他の切断装置では薄い鋼板を切断可能な低出力とする。大型の廃材の切断に対応した切断装置では、得てして小さなスクラップの切断ができない。これは、切断刃の構造によるものである。詳しくは、高出力の切断装置では、切断刃の剪断力を向上させるため、剪断刃の摺り合わせ面に間隙を形成している。このため、大型の廃材は切断可能であるが、薄い廃材や小型の廃材では形成された間隙に廃材が入り込み、切断が不能となる。このため、多様化されているスクラップであっても分別の際に切断能力の高い高出力の切断装置か、低出力の切断装置かを振り分けつつ分別すればよい。これにより、多様化されているスクラップを効率よく解体及び／又は破断及び／又は分別することができ、しかも分別されたスクラップの品質向上にも繋がる。
【００２４】
本発明の据付型クレーン装置と据付型スクラップ切断装置との組については、スクラップ処理作業床上に又はスクラップ処理作業床に隣接して２つ以上あればよい。その配置はスクラップ処理作業床の互いに近接する場所に配置されるよりも、離れた場所に配置される方が、解体・破断・分別作業を行いつつスクラップの素材に応じて各々の据付型スクラップ切断装置位置に近づけるようにすることにより効率よく処理できる。そのため、好ましい態様としては、少なくとも一組の据付型機械がスクラップ処理作業床上の共通の作業領域を間にして他の組の据付型機械と対峙するように配置されている。
【００２５】
尚、本発明の据付型クレーン装置としては、スクラップ処理作業床の周縁の荷揚げ位置近傍に設置され、スクラップを運搬車両からスクラップ処理作業床上又はスクラップ処理作業床からスクラップ処理作業床外に荷揚げするものであればよく、例えば、旋回伏仰可能なブームを備えたローダークレーンで構成することができる。ブームの先端にはスクラップを掴むグラップル式アタッチメントをつけたものやスクラップが鉄材であればリフティングマグネット式アタッチメントを付けたものが選択できる。
【００２６】
本発明の自走式多機能解体作業機としては、スクラップ処理作業床の上には少なくとも１台配置されればよく、荷揚げされたスクラップの種類に応じて適宜選択可能である。例えば、スクラップが自動車のシャーシ等のように非鉄金属の分別の必要がないものでは、解体及び／又は破断作業を効率よく行うために、自走車両の車体上に起伏・旋回可能に搭載された油圧作動ブームと、このブーム先端に取付けられた開閉作動するスクラップ解体用ペンチャー等開閉作業工具とを備えた自走式多機能解体作業機がスクラップ処理作業床上の作業領域に配置される。
【００２７】
また、作業効率を向上させるために、前述の自走式多機能解体作業機に、車体の前部又は後部に起伏可能に装備された開閉駆動される左右一対のアームと、これら各アームに取付けられたスクラップ対象物をアーム間で挟持するための挟持具とを更に備えたマルチ型の自走式多機能解体作業機を複数の作業領域ごとに配置してもよい。また、左右一対の作業アームのアーム枢動支点寄りの位置にスクラップ対象物を切断する切断鋏手段を備えた自走式多機能解体作業機であれば、長尺廃材を切断することが容易となり、廃棄自動車のスクラップ解体作業で用いられることは勿論、特に建築廃材や配管廃材の分別解体作業にも有効となり、効率よくスクラップを解体及び／又は破断及び／又は分別することができ、しかも分別されたスクラップの品質向上にも繋がる。
【００２８】
また、スクラップが自動車のエンジン等のように非鉄金属の分別の必要があるものでは、解体及び／又は破断及び／又は分別作業を効率よく行うために、作業工具としてリフティングマグネットを備えた自走式多機能解体作業機を作業領域に配置する。このリフティングマグネットを備えた作業車については、単独の作業車であっても、前述のマルチ型の自走式多機能解体作業機の着脱可能な工具の一つとしてもよい。
【００２９】
本発明のステージ又はスクラップ処理作業床の平面形状についても、矩形状に限らず、如何なる形状をも取りうる。例えば円形状、Ｌ字状等の平面形状とすることもできる。
【００３０】
また、前述の作業領域については、複数の自走式多機能解体作業機の各々に対してステージ上の領域が決定されればよく、これらの作業領域については、複数の自走式多機能解体作業機で重複した領域を含むことを禁止しない。むしろスクラップの受け渡しを行うためには、また、離れた作業領域間でのスクラップの受け渡しについて、これら作業領域間を移動する運搬車両、移送コンベア、リフター等のスクラップ受け渡し手段を備えてもよい。
【００３１】
荷揚げされ、選別や切断や破砕や分別されたスクラップは、据付型クレーン装置のアーム作業領域内のステージ上又はステージに隣接して設置された据付型スクラップ切断装置で切断される。もし、運搬車両が搬送してくるスクラップが全て鉄製のものであれば、据付型クレーン装置によって運搬車両から直接据付型スクラップ切断装置の投入口に投入され、遅滞なく所定の大きさに切断され、据付型クレーン装置で別の運搬車両の荷箱に載せて運び出されればよい。
【実施例】
【００３２】
図１は本発明のステージ型スクラップ処理ヤードの一実施例の構成を説明する説明図である。図２は図１のスクラップ処理ヤードの平面構成を示す説明図である。図に示す通り、ステージ型スクラップ処理ヤード１は、周囲の運搬車両２０が走行する走行路２に対して２ｍ高い位置に設置された平面形状が矩形のスクラップ処理作業床３を備える。
【００３３】
矩形のスクラップ処理作業床３の一辺に２つ並設して設けられた荷揚げ位置４ａ、ｂの近傍には、据付型クレーン装置として各々据付ローダ５ａ、ｂが基台６ａ、ｂに立設された支持柱７ａ、ｂの上に回転自在に設置されている。互いの据付ローダ５ａ、ｂの対向位置の遠い側にはスクラップ切断機械としてのギロチンシャー１２ａ、ｂが配されている。ローダ５ａ、ｂの伏仰ブーム８ａに連接されたアーム８ｂの先端には、運搬車両２０で搬送されるスクラップ１０を荷揚げするグラップル式アタッチメント９が備わり、スクラップ処理作業床３上又はギロチンシャー１２ａ、ｂの投入口１３ａ、ｂにスクラップ１０を移す。尚、据付ローダ５ａ、ｂのグラップル式アタッチメント９は、スクラップ１０に応じてリフティングマグネット式アタッチメントとしてもよい。
【００３４】
２台装備したギロチンシャー１２ａ、ｂのうち少なくとも１つのギロチンシャー１２ａは他のギロチンシャー１２ｂと相違する切断能力とした。即ち、ギロチンシャー１２ａの切断出力よりもギロチンシャー１２ｂの切断出力を小さくした。これにより、自動車のシャーシフレームや建築廃棄物の鉄骨等の太くて硬いものは切断出力の大きいギロチンシャー１２ａで切断し、自動車のボディーの鋼板、鉄筋、サッシ枠のアルミフレーム等の比較的薄いもの細いもの柔らかいものなどは切断出力の小さいギロチンシャー１２ｂで切断するようにスクラップの解体・分別作業で選り分けながら、各々のシャー周辺へ移動させることにより、効率よくスクラップを解体及び／又は破断及び／又は分別することができる。また、２つのギロチンシャーの一方を切断能力の小さいものとすることができるため、設備費用が低減できる利点もある。
【００３５】
荷揚げが済んだ運搬車両２０はスクラップ処理作業床３周囲の走行路２を通って、処理ヤード１から帰る。この時、走行路２は一方通行であるため、渋滞なくヤード１から離れることができる。
【００３６】
スクラップ処理作業床３上には、スクラップを挟持したり、非鉄金属やプラスチックを除去する開閉作業工具１４を先端に備えた油圧作動ブーム１５と、挟持具１６を備えた左右一対のアーム１７を車両前部又は後部に備えた５台の自走式多機能解体作業機としてマルチ型自走式解体作業車１８ａ〜ｅが配置される。各々の自走式解体作業車１８ａ〜ｅには、各作業者に定められた作業領域１９ａ〜ｅが決められている。尚、マルチ型自走式解体作業車の代わりに鉄製金属を磁気吸引可能なリフティングマグネット付きのバックホーを有するリフマグ型自走式解体作業車を配置しても良い。
【００３７】
また、自走式解体作業車１８ａ〜ｅとしては、左右一対のアーム１７のアーム支点寄りの一端部に、互いに車両本体に枢動可能に連結する鋏刃枢動支軸と、それぞれ一対の切断鋏刃の各個の他端部と一対の作業アームの各個とを枢動可能に連結する一対のリンクレバーとを含む切断鋏手段を備えたものを配置した。これにより、長尺廃材を切断することが容易となり、廃棄自動車のスクラップ解体作業で用いられることは勿論、特に建築廃材や配管廃材の分別解体作業にも有効となり、効率よくスクラップを解体及び／又は破断及び／又は分別することができ、しかも分別されたスクラップの品質向上にも繋がる。
【００３８】
５つの自走式解体作業車１８ａ〜ｅのうち、２つの荷揚げ位置を作業領域として含む４つの自走式解体作業車１８ａ〜ｄは、各々単独又は据付ローダ及び他の解体作業車と共同して運搬車両２０からスクラップ１０を荷揚げする。荷揚げをされたくスクラップ１０は各作業領域内で単独で又は重複する作業領域内で共同してスクラップ１０の解体作業や破断作業や分別作業を行ったりする。尚、各作業領域を含めてスクラップ処理作業床３上は、自走式解体作業車１８ａ〜ｅのみが移動でき、作業員は生身では立ち入ることができないように取り決めておく。
【００３９】
以上のような構成とするため、次のような利点を奏する。先ず、運搬車両２０は荷揚げのために一方通行で入り、積荷のスクラップの種類に応じて２つの荷揚げ位置の何れかで各々のローダ等で荷揚げを行うことにより、効率よくスクラップを搬送することができる。荷揚げされたスクラップは切断能力の相違するギロチンシャーで切断するか、自走式解体作業車１８ａ〜ｅで解体、破断作業、分別作業を行い、切断能力の相違するギロチンシャーに合わせたスクラップを選り分けながら、各々のシャー周辺へ移動させることにより、効率よくスクラップを解体及び／又は破断及び／又は分別することができ、しかも分別されたスクラップの品質向上にも繋がる。
【００４０】
また、スクラップ処理作業床３上に、複数台の自走式解体作業車１８ａ〜ｅを配置してスクラップの解体、破断、分別作業を行う複数の作業領域１９ａ〜ｅを備えることにより、生身の作業員がステージ上に立ち入ることが禁止され、自走式解体作業車１８ａ〜ｅのみがステージ上に立ち入ることにすることができる。これにより、スクラップや機械等による生身の作業員に対する事故の発生を極端に減少させることができる。
【００４１】
図３は本発明のステージ型スクラップ処理ヤードの別の実施例の平面構成を示す説明図である。図３に示す通り、スクラップ処理作業床３３の平面形状は略正方形としたものを開示した。また、荷揚げ位置３４ａ、ｂ及び据付ローダ３５ａ、ｂとギロチンシャー４２ａ、ｂとの組の配置は対向する辺上に点対称に配置した。スクラップ処理作業床３３上には、スクラップを挟持したり、非鉄金属やプラスチックを除去する開閉作業工具４４を先端に備えた油圧作動ブーム４５と、挟持具４６を備えた左右一対のアーム４７を車両前部又は後部に備えた６台のマルチ型自走式解体作業車４８ａ〜ｆが配置される。各々の自走式解体作業車４８ａ〜ｆには、各作業者に定められた作業領域４９ａ〜ｆが決められている。
【００４２】
荷揚げ位置３４ａ、ｂについては、荷揚げ位置が存在する走行路３２を２車線分として、安全性を確保している。具体的には、切断出力の大きいギロチンシャー４２ａで切断するスクラップが主となるものを搬送する場合には、ギロチンシャー４２ａに向かう走行路３２ａからヤード３１内に進入し、切断出力の小さいギロチンシャー４２ｂで切断するスクラップが主となるものを搬送する場合には、ギロチンシャー４２ｂに向かう走行路３２ｂでヤード３１内に進入する。互いの走行路３２ａ、ｂが交叉したり、離合する直前や、荷揚げ位置に面する副走行路３２ｂに入る直前には、一時停止として安全性を確保している。
【００４３】
尚、２台装備したギロチンシャー４２ａ、ｂについても、ギロチンシャー４２ａの切断能力よりもギロチンシャー４２ｂの切断能力を小さくした。尚、本実施例では荷揚げ位置及び据付ローダとギロチンシャーとの組を２つとしたがスクラップ処理作業床の広さに応じて２つ以上としてもよい。
【図面の簡単な説明】
【００４４】
【図１】本発明のステージ型スクラップ処理ヤードの一実施例の構成を説明する説明図である。
【図２】図１のスクラップ処理ヤードの平面構成を示す説明図である。
【図３】本発明のステージ型スクラップ処理ヤードの別の実施例の平面構成を示す説明図である。
【符号の説明】
【００４５】
１  …ステージ型スクラップ処理ヤード、
２  …走行路、
３  …スクラップ処理作業床、
４ａ…荷揚げ位置、
４ｂ…荷揚げ位置、
５ａ…据付ローダ、
５ｂ…据付ローダ、
６ａ…基台、
６ｂ…基台、
７ａ…支持柱、
７ｂ…支持柱、
８ａ…伏仰ブーム、
８ｂ…アーム、
９  …グラップル式アタッチメント、
１０  …スクラップ、
１２ａ…ギロチンシャー、
１２ｂ…ギロチンシャー、
１３ａ…投入口、
１３ｂ…投入口、
１４  …開閉作業工具、
１５  …油圧作動ブーム、
１６  …挟持具、
１７  …アーム、
１８ａ〜ｅ…マルチ型自走式解体作業車、
１９ａ〜ｅ…作業領域、
２０  …運搬車両、
３１  …ステージ型スクラップ処理ヤード、
３２  …走行路、
３２ａ…走行路、
３２ｂ…走行路、
３３  …スクラップ処理作業床、
３４ａ…荷揚げ位置、
３４ｂ…荷揚げ位置、
３５ａ…据付ローダ、
３５ｂ…据付ローダ、
４２ａ…ギロチンシャー、
４２ｂ…ギロチンシャー、
４４  …開閉作業工具、
４５  …油圧作動ブーム、
４６  …挟持具、
４７  …アーム、
４８ａ〜ｆ…マルチ型自走式解体作業車、
４９ａ〜ｆ…作業領域、
【図１】
2007168969.tif 000003
【図２】
2007168969.tif 000004
【図３】
2007168969.tif 000005